(57)【要約】【課題】経皮的な神経を通じての刺激による信号の送信。【解決手段】発信手段本体Ｔが複数部位神経の経皮的個別的刺激による送受信装置の神経刺激受信機本体３(図１を参照)の複数部位神経刺激手段１(図１を参照)のそれぞれ対応する刺激手段１ａ、１ｂ(図１と２を参照)にそれぞれ対応する刺激制御信号を発信する。各刺激制御信号用電気的スイッチＳが上記の発信手段本体Ｔにそれぞれ対応する刺激制御信号を送る。送信用着身手段５が上記のそれぞれの電気的スイッチＳａ、Ｓｂをそれぞれに人体６のそれぞれの所定部位６ａ、６ｂにて駆動されるべく設けられている。【選択図】図３
2009172038.tif 000002
【特許請求の範囲】
【請求項１】
複数部位神経の経皮的個別的刺激による送受信装置の神経刺激受信機本体の複数部位神経刺激手段のそれぞれ対応する刺激手段にそれぞれ対応する刺激制御信号を発信するものであって下記のごとくに構成された発信手段本体、該発信手段本体にそれぞれ対応する刺激制御信号を送るそれぞれ対応する刺激制御信号用電気的スイッチ、これらの電気的スイッチをそれぞれに人体のそれぞれの所定部位にて駆動されるべく設けられた送信用着身手段、より構成されることを特徴とした複数部位神経の経皮的個別的刺激による通信用専用送信機。
上記の発信手段本体は、上記のそれぞれの電気的スイッチにより駆動されそれぞれ対応する刺激制御信号を発振するそれぞれの発振回路、該発振回路からの信号を発信するアンテナ、より成る。
【発明の詳細な説明】
【技術分野】
【０００１】
本発明は、広くは送信装置に関するものであり、特に皮膚の複数の部位の神経を刺激するように構成された送受信装置用の送信機に関するものである。就中、人体の皮膚などの複数部位の神経を別個に刺激することによってその信号の内容の差異を区別可能とした受信機向けのものであって、その内容の差異を信号として送信する送信機であることを特徴とした送受信装置に関するものである。
【背景技術】
【０００２】
放送や携帯電話や電子メールなどで、送受信装置は日常的に存在する。しかし、これらは全て視聴覚を通じたものであって、必要によってはそれ以外の感覚器官を通じての通信の利用も考えられる。たとえば、視聴覚による通信では騒音などの障害があるとか、秘密の保持のために盗聴を避ける重大な通信などに於いて、経皮的な神経を通じての刺激による信号の通信用送信機である。
【０００３】
【特許文献１】特願２００７−２３３６０２
【発明の開示】
【発明が解決しようとする課題】
【０００４】
しかして、本願発明が解決しようとする問題点は、たとえば、視聴覚障害者にとっては、音波・光線による通信は不可能である。もちろん、言語を必要としない単純の信号の通信もある。これらにおいては、経皮的な神経の刺激による通信の利用は画期的なものとなる。そのために、上記の発明が為された。そして、この発明の受信機用の専用送信機の必要性が要求された。
【課題を解決するための手段】
【０００５】
本発明にかかる複数部位神経の経皮的個別的刺激による通信用送信機は、以上の課題を解決するために、皮膚の経皮的刺激を利用して各種の信号を送信するようにしたものであって、その受信機への専用送信機としたものである。
【０００６】
以下に、本発明にかかる複数部位神経の経皮的個別的刺激による通信用送信機の具体的な構成を詳細に記載する。この発明は、まず、発信手段本体がある。この発信手段本体は、複数部位神経の経皮的個別的刺激による送受信装置の神経刺激受信機本体の複数部位神経刺激手段のそれぞれ対応する刺激手段にそれぞれ対応する刺激制御信号を発信するものであって下記のごとくに構成されている。つぎに、それぞれ対応する刺激制御信号用電気的スイッチがある。これらの刺激制御信号用電気的スイッチは、上記の発信手段本体にそれぞれ対応する刺激制御信号を送るものである。そして送信用着身手段がある。この送信用着身手段は、上記のそれぞれの電気的スイッチをそれぞれに人体のそれぞれの所定部位にて駆動されるべく設けられたものである。
上記の発信手段本体は、まずそれぞれの発振回路がある。これらの発振回路は、上記のそれぞれの電気的スイッチにより駆動されそれぞれ対応する刺激制御信号を発振するものである。そして、アンテナがある。このアンテナは、上記のそれぞれの発振回路からの信号を発信するものである。
【発明の効果】
【０００７】
本発明にかかる複数部位神経の経皮的個別的刺激による通信用送信機は、以上のごとくになしたゆえに、上記の課題を解決して以下のごとき多大な効果が生じた。すなわち、視聴覚による通信では騒音などの障害があるときに、経皮的に神経を刺激することによって必要な信号を送ることが可能となった。又、秘密の保持のために盗聴を避ける重大な通信などに於いて、経皮的な神経を通じての刺激による信号の送信もできるものである。さらには、視聴覚障害者への経皮的な通信も可能になった。そして、この通信の受信機のための専用送信機として、その受信機と同様な手段によって、身体それぞれ別な部位の動きを電気的スイッチを用いて信号化したことにより、その受信機と一体となって効果を上げた。
【発明を実施するための最良の形態】
【０００８】
本発明にかかる複数部位神経の経皮的個別的刺激による通信用送信機は、以上の課題を解決するために、神経の経皮的刺激を利用して各種の信号を受信する受信機に対応する送信機とした。このことにより、音波・光線による通信は不可能である視聴覚障害者にとっては、有効な通信手段となった。もちろん、ＹＥＳかＮＯとか右や左などの指示や数字を送信するのみとかの文章を必要としない単純な信号の通信には、その複数部位神経刺激手段を単純化できると言う利点がある。
【実施例１】
【０００９】
しかして、本発明にかかる複数部位神経の経皮的個別的刺激による通信用送信機をその具体的な実施例を用いて添付の図面と共に詳細に述べる。ただし、この発明は、上記の特願2007-233602の受信機専用の送信機である故に、その受信機がどのようなものであるかわからないと本願発明を理解し得ない。それゆえ、その発明の実施例をここで最初に説明する。この発明は、まず、複数部位神経刺激手段１がある。この複数部位神経刺激手段１は、皮膚の複数の部位の神経を経皮的に、且つ個別的に刺激するものであって、バイブレーターとか対を為す電極などから成っている。しかして、電極の場合には、一揃いのイヤリングとか、ブレスレットとか、腕時計などの装身具を利用することも出来る。なお、電極の場合には、その複数の対となるそれぞれの一方の電極を共通にすれば、配線の数が省略できる。
【００１０】
つぎに、肌に密着性の下着などから成る神経刺激手段所定部位着身手段２がある。この神経刺激手段所定部位着身手段２は、上記の複数部位神経刺激手段１を人体の皮膚の所定の複数の部位に装着するものである。本実施例では、図１に示すごとくに、この神経刺激手段所定部位着身手段２には、マラソン用のシャツを用い、その内側にその複数部位神経刺激手段１を取り付けた。この実施例ではその神経刺激手段所定部位着身手段２は図面の簡素化のために２個にしたが、必要に応じてその数は増やしてもよい。これで、そのコーチがその走者に数々のアドバイスが可能になる。しかして、この神経刺激手段所定部位着身手段２には、パンツやサポーターなど直接身体に接するものなら何でもよい。また、この神経刺激手段所定部位着身手段２は、上記の複数部位神経刺激手段１と一体のものであってもよい。特に、この神経刺激手段所定部位着身手段２が電極の場合は、イヤリングやピアスの金属部分とその止め金部分が同一となりうる故に、容易に一体化される。
【００１１】
そして、神経刺激受信機本体３がある。この神経刺激受信機本体３は、上記の神経刺激手段所定部位着身手段２に設けられた上記の複数部位神経刺激手段１にそれぞれの神経を刺激する信号を送るものである。最後に、複数部位神経刺激信号送信機４がある。この複数部位神経刺激信号送信機４は、上記の神経刺激受信機本体３に複数の部位の神経を個別的に刺激する信号を送るものである。
【００１２】
しかして、上記の複数部位神経刺激手段１を図２に示すようにこの実施例を２個にして構成した場合に、例えばその左側の複数部位神経刺激手段１ａをモールス信号の「トン」にし、その右側の複数部位神経刺激手段１ｂを「ツー」にすれば、これでモールス信号通信が出来る。もちろん、たとえば、その左側の複数部位神経刺激手段１ａを「ＹＥＳ」にし、その右側の複数部位神経刺激手段１ｂを「ＮＯ」にすれば、これでその受信者の行っている行為を正常に制御することが可能になる。
【００１３】
さらには、その複数部位神経刺激手段１を１０個用いてカルキュレーターの１０キーのようにすれば、数字も送信できる。また、それらの複数部位神経刺激手段１を１個のみオンするのではなく、それらの全てを同時にオン・オフ制御すれば、その複数部位神経刺激手段１の階乗的な数の信号を送信できる。その一例を図２で示すと、その複数部位神経刺激手段の１ａのみが駆動している状態と（図２のＡ）、その複数部位神経刺激手段の１ｂのみが駆動している状態と（図２のＢ）、その複数部位神経刺激手段の１ａと１ｂの両方が駆動している状態（図２のＣ）の三通りの信号を送り出すことが出来る。そして、その複数部位神経刺激手段の１ａと１ｂの両方が駆動していない状態（図２のＤ）を含めると４通りとなる。
【実施例２】
【００１４】
しかして、本発明にかかる複数部位神経の経皮的個別的刺激による通信用送信機をその具体的な実施例を用いて添付の図面と共に詳細に述べる。図３に示すようにこの発明は、まず、発信手段本体Ｔがある。この発信手段本体Ｔは、複数部位神経の経皮的個別的刺激による送受信装置の神経刺激受信機本体３(図１参照)の複数部位神経刺激手段(図１参照)１のそれぞれ対応する刺激手段１ａ、１ｂ(図１と２を参照)にそれぞれ対応する刺激制御信号を発信するものであり、下記のごとくになっている。つぎに、それぞれ対応する刺激制御信号用電気的スイッチＳがある。これらの刺激制御信号用電気的スイッチＳは、上記の発信手段本体Ｔにそれぞれ対応する刺激制御信号を送るものである。すなわち、ある電気的スイッチＳａをオンにした場合、それに対応する刺激制御信号が発信され、それにそれに対応する刺激手段１ａが駆動し、他の電気的スイッチＳｂをオンにした場合にそれに対応する刺激制御信号が発信され、それに対応する刺激手段１ｂが駆動するという具合にそれぞれに対応して動作するものである。
【００１５】
最後に、送信用着身手段５がある。この送信用着身手段５は、上記のそれぞれの電気
的スイッチＳａ、Ｓｂをそれぞれに人体６のそれぞれの所定部位６ａ、６ｂにて駆動されるべく設けられたものである。しかして、この人体６の所定部位６ａ、６ｂは特に限定されるものではないが、手足の左右の箇所のように、動きやすくて区別しやすい部位が望ましい。また、この送信用着身手段５は、時計のバンドのごとくにその電気的スイッチＳを身体に装着するタイプにこだわるものではない。たとえば、グリップ状のケースのようにして、手で握りしめるようなものでもよい。
【００１６】
しかして、上記の発信手段本体Ｔは、まずそれぞれの発振回路７がある。これらの発振回路７は、上記のそれぞれの電気的スイッチＳにより駆動されそれぞれ対応する刺激制御信号を発振するものである。そして、アンテナ８がある。このアンテナ８は、上記のそれぞれの発振回路からの信号を発信するものである。
【実施例３】
【００１７】
こうして、上記の複数部位神経刺激手段１を図２に示して説明したと同様に、この電気的スイッチＳａ、Ｓｂを図４に示すようにこの電気的スイッチＳａ、Ｓｂを２個にして構成した場合に、例えばその左側の電気的スイッチＳａをモールス信号の「トン」にし、その右側の電気的スイッチＳｂを「ツー」にすれば、これでモールス信号通信が出来る。もちろん、たとえば、その左側の電気的スイッチＳａを「ＹＥＳ」にし、その右側の電気的スイッチＳｂを「ＮＯ」にすれば、これでその受信者の行っている行為を正常に制御することが可能になる。
【００１８】
さらには、その電気的スイッチＳを１０個用いてカルキュレーターの１０キーのようにすれば、数字も送信できる。また、それらの電気的スイッチＳを１個のみオンするのではなく、それらの全てを同時にオン・オフ制御すれば、その電気的スイッチＳの階乗的な数の信号を送信できる。その一例を図４で示すと、その電気的スイッチＳａのみがオンしている状態と(４Ａ図)、その電気的スイッチＳｂのみがオンしている状態と(４Ｂ図)、その電気的スイッチＳａとＳｂの両方がオンしている状態(４Ｃ図)の三通りの信号を送り出すことが出来る。そして、その電気的スイッチＳａとＳｂの両方が駆動していない状態を含める(４Ｄ図)と４通りとなる。
【実施例４】
【００１９】
しかして、上記のスイッチＳを体表皮膚（直接ではなく、ストッキングのような薄い生地を通してというケースもある）に装着した電極であって、複数の部位の筋肉を支配する神経から伝えられる微弱な電気、すなわち「表面筋電位」を経皮的に且つ個別的に感知し、その出力が一定の閾値を越えることでスイッチＳをオン・オフさせる複数部位表面筋電位感知スイッチ手段とししてもよい。なお、表面筋電位を感知し、その出力が一定の閾値を越えることでスイッチをオン・オフさせる装置は、筋電義手として実用化されている。パワードスーツは近く実用化される。
【００２０】
体表皮膚（ストッキングのような薄い生地を通してというケースもある）に装着した、筋によって圧力が加えられる（炭素粒子などを含む）通電状態の織編物、ゴム製クッション等の電位差を感知し、その出力が一定の閾値を越えることでスイッチＳをオン・オフにさせる外部筋圧力感知スイッチ手段にし、これを表面筋電位感知スイッチ手段に代えることができる。こうして、この複数部位表面筋電位感知スイッチ手段を人体の皮膚の所定の複数の部位に装着する表面筋電位感知スイッチ手段所定部位着身手段としてもよい。または、外部筋圧力感知スイッチ手段を人体の皮膚の所定の複数の部位に装着するスイッチ手段所定部位着身手段としてもよい。こうして、この表面筋電位感知スイッチ手段所定部位着身手段に設けられた上記の複数部位表面筋電位感知スイッチ手段から送られる、それぞれのオン・オフ信号を編集するコンピューター手段をもうけ、この編集信号を送信する無線あるいは有線送信機本体より構成されることを特徴とした複数部位表面筋電位を利用した経皮的個別的表面筋電位による送受信機装置とすることも出来る。
【００２１】
または、この外部筋圧感知スイッチ手段所定部位着身手段に設けられた上記の複数部位外部筋圧力感知スイッチ手段から送られるそれぞれのオン・オフ信号を編集するコンピューター手段とする。そして、この編集信号を送信する無線あるいは有線送信機本体、より構成されることを特徴とした複数部位外部筋圧力を利用した経皮的個別的外部筋圧力による送受信機装置とすることも可能である。
【００２２】
さらには、この編集された信号を無線有線送信前にあるいはこの送信と同時に「複数部位神経の経皮的個別的刺激による送受信機装置」によって受信する装置を付属してもよい。この編集手段では、ある特定部位のスイッチＳのオンは長信号として送信、及び他の特定部位のスイッチＳのオンは短信号として、波形と時間を決めて送信することにしてもよい。また、それぞれの部位のスイッチＳのオン時間の長い信号と短い信号をそれぞれに長信号と短信号と判別して、決められた波形、時間内の長短信号として編集してもよい。
【００２３】
患者の遠隔治療や、患者の遠隔監視で、患者の身体的な動きから発信される信号を、施術者や、監視者が自分の身体の皮膚神経で感知する装置とすると、発明の意義は飛躍的に大きくなる。視覚的なコンピューター画面や、聴覚的な電話ではなく、いつでもどこでも、患者の動きを、患者と同じ立場から、ほかの他の患者の施術をしながらでも遠隔感知することの意義は大きい。
【産業上の利用可能性】
【００２４】
視聴覚障害者への経皮的な信号の送信などの新しい通信分野への利用の可能性はもとより、その複数部位神経刺激手段１を電極にすれば、経皮的通電療法の分野への利用の可能性も開ける。
【図面の簡単な説明】
【００２５】
【図１】本発明にかかる複数部位神経の経皮的個別的刺激による送受信機の一実施例の平面図を示したものである。
【図２】図１の複数部位神経刺激手段の拡大平面図を示したものであって、そのＡはその刺激手段のａのみが駆動している状態であって、そのＢはその刺激手段のｂのみが駆動している状態であって、そのＣはその刺激手段のａとｂの両方が駆動している状態を表しているものである。そして、そのＤはその刺激手段のａとｂの両方が駆動していない状態を表しているものである。。
【図３】本発明に対応する複数部位神経の経皮的個別的刺激による通信用送信機の一実施例の一部回路化した斜視図を示したものである。
【図４】図３の電気的スイッチの拡大配線図を示したものであって、そのＡはその電気的スイッチのａのみが駆動している状態であって、そのＢはその電気的スイッチのｂのみが駆動している状態であって、そのＣはその電気的スイッチのａとｂの両方が駆動している状態を表しているものである。そして、そのＤはその電気的スイッチのａとｂの両方が駆動していない状態を表しているものである。
【符号の説明】
【００２６】
１、１ａ，１ｂ  複数部位神経刺激手段
２  神経刺激手段所定部位着身手段
３  神経刺激受信機本体
４  複数部位神経刺激信号送信機
５  送信用着身手段
６  人体
６ａ、６ｂ    所定部位
７  発信回路
８  アンテナ
Ｓ、Ｓａ、Ｓｂ  電気的スイッチ
Ｔ  発信手段本体
【図１】
2009172038.tif 000003
【図２】
2009172038.tif 000004
【図３】
2009172038.tif 000005
【図４】
2009172038.tif 000006